(57)【要約】【課題】本発明は、電気掃除機を廊下や居室内に電気掃除機をコンパクトな形態で配置することができ、廊下や居室に配置した状態でゴミ取り器として使い勝手よく機能する収納装置付き電気掃除機及び電気掃除機の収納装置を提供することを課題とする。【解決手段】本発明は、電気掃除機１０を収納状態で積載する収納装置２０を有する収納装置付き電気掃除機１Ａであって、前記収納装置２０は、前記電気掃除機１０を積載した状態で、前記電気掃除機１０に連通する集塵開口２１を備え、前記集塵開口２１は、前記収納装置２０の下部に形成されることを特徴とする。【選択図】図１
2012152479.tif 000002
【特許請求の範囲】
【請求項１】
電気掃除機を収納状態で積載する収納装置を有する収納装置付き電気掃除機であって、
前記収納装置は、前記電気掃除機を積載した状態で、前記電気掃除機に連通する集塵開口を備え、
前記集塵開口は、前記収納装置の下部に形成されることを特徴とする収納装置付き電気掃除機。
【請求項２】
請求項１に記載の収納装置付き電気掃除機において、
前記電気掃除機は、前記電気掃除機単独では横置き状態で使用され、
前記収納装置は、縦置き状態の前記電気掃除機を積載することを特徴とする収納装置付き電気掃除機。
【請求項３】
請求項１に記載の収納装置付き電気掃除機において、
前記収納装置は、前記電気掃除機の掃除機本体の吸込口又は前記電気掃除機の掃除機本体の吸込口に連通するホース継手若しくはこのホース継手に連通する延長管に接続可能な接続部を備え、
前記集塵開口は、前記接続部に連通することを特徴とする収納装置付き電気掃除機。
【請求項４】
請求項３に記載の収納装置付き電気掃除機において、
前記集塵開口及び前記接続部同士を連通する流路は、前記収納装置のうち前記電気掃除機が積載される底部に形成されることを特徴とする収納装置付き電気掃除機。
【請求項５】
請求項１の収納装置付き電気掃除機において、
前記収納装置は、前記電気掃除機の床用吸口体の吸引口を覆って当該吸引口に連通する接続部を備え、
前記集塵開口は、前記接続部に連通することを特徴とする収納装置付き電気掃除機。
【請求項６】
電気掃除機を収納状態で積載する収納装置を有する収納装置付き電気掃除機であって、
前記収納装置は、前記電気掃除機を積載した状態で、前記電気掃除機に連通する集塵開口を備え、
前記集塵開口は、前記集塵開口が前記電気掃除機に連通して前記電気掃除機が稼動した場合に、前記収納装置が置かれた床面上の塵埃を吸い込み可能であることを特徴とする収納装置付き電気掃除機。
【請求項７】
収納状態の電気掃除機を積載した状態で前記電気掃除機の集塵室に連通する集塵開口を設置面に近接して有することを特徴とする電気掃除機の収納装置。
【請求項８】
請求項７に記載の収納装置において、
前記電気掃除機への電力供給部を更に有することを特徴とする電気掃除機の収納装置。
【請求項９】
請求項８に記載の収納装置において、
前記電気掃除機は、二次電池を備える充電式電気掃除機であり、
前記電力供給部は、前記二次電池に対する充電用端子であることを特徴とする電気掃除機の収納装置。
【発明の詳細な説明】
【技術分野】
【０００１】
本発明は、収納状態の電気掃除機を積載する収納装置付き電気掃除機及び電気掃除機の収納装置に関する。
【背景技術】
【０００２】
従来、電気掃除機のホースに接続するゴミ取り器が知られている（例えば、特許文献１ないし３参照）。このゴミ取り器によれば、モップや箒等の掃除具で掃き集めたゴミや、その掃除具に付着したゴミを電気掃除機の吸引力で集め取ることができる。
【０００３】
ところで、このようなゴミ取り器は、少なくともゴミの収集時には、その収集場所となる廊下や居室の床面上に配置される。一方、電気掃除機は、その未使用時に廊下や居室に後記する「使用状態」で放置しておくと嵩張って邪魔になるので、その未使用時には押入れや納戸等の物置に収納されることが多い。したがって、前記したゴミ取り器でゴミを集め取る際には、物置から取り出した電気掃除機をゴミ取り器の配置場所である廊下や居室まで移動させ、その後、電気掃除機のホースに接続された延長管及び床用吸口体を取り外してから、ホースをゴミ取り器に接続するという煩わしい工程を伴うこととなる。
また、ゴミ取り器に接続された電気掃除機は、床面上に「横置き状態」で配置される掃除機本体から側方にホースが延出するという、前記した「使用状態」となっており、床面上に投影される電気掃除機の占有面積が比較的大きくなる。したがって、この電気掃除機を含めたゴミ取り器の全体構成は、コンパクト性に欠ける問題がある。
また、従来のゴミ取り器は、バネ弾性を有する傾向にあるホースの先端に取り付けて使用するので、床面上でのゴミ取り器の安定性（据わり）が不十分になる。
【０００４】
そこで、電気掃除機をゴミの収集場所となる廊下や居室内の床面上に、いわゆる「収納状態」の姿勢を維持させて配置すると共に、この「収納状態」の電気掃除機に掃除具で掃き集めたゴミを吸い取らせることが考えられる。ちなみに、「収納状態」の電気掃除機とは、床面上に「縦置き状態」で配置される掃除機本体から上方にホースが延出する状態をいう。この「収納状態」の電気掃除機では、床面上に投影される電気掃除機の占有面積が「使用状態」の電気掃除機と比べて小さくなるので、電気掃除機自体を床面上でコンパクトに取り纏めることができる。
一方、電気掃除機の掃除機本体を「縦置き状態」とする構造としては、従来、充電式掃除機の充電台が知られている（例えば、特許文献４参照）。
【先行技術文献】
【特許文献】
【０００５】
【特許文献１】特開２００３−６１８６９号公報
【特許文献２】特開２００４−８１７８１号公報
【特許文献３】特開２００８−１５４８２６号公報
【特許文献４】特許第４２９７５９５号公報
【発明の概要】
【発明が解決しようとする課題】
【０００６】
ところが、特許文献４に示すような従来の充電台は、これに取り付けられた状態の充電式掃除機を駆動して掃除することを想定していない。つまり、一般に、電気掃除機の吸口体は、床面に沿って摺動移動させることでゴミを効率よく吸い取るように設計されている。そのため、吸口体を単に床面の近傍に配置するように充電式掃除機を充電台に取り付ける構成にしたとしても、当該吸口体は、その周囲に掃き集められたゴミを効率よく吸い取ることができない。また、その吸口体に植毛されたブラシには、この充電式掃除機を通常使用する際（充電台と分離独立して使用する際）よりも、ゴミが多く付着するために、そのゴミを除去するメンテナンス頻度が一段と多くなって使い勝手が悪い問題がある。
【０００７】
そこで、本発明の課題は、電気掃除機を廊下や居室内に電気掃除機をコンパクトな形態で配置することができ、廊下や居室に配置した状態でゴミ取り器として使い勝手よく機能する収納装置付き電気掃除機及び電気掃除機の収納装置を提供することにある。
【課題を解決するための手段】
【０００８】
前記課題を解決した本発明の第１は、電気掃除機を収納状態で積載する収納装置を有する収納装置付き電気掃除機であって、前記収納装置は、前記電気掃除機を積載した状態で、前記電気掃除機に連通する集塵開口を備え、前記集塵開口は、前記収納装置の下部に形成されることを特徴とする。
【０００９】
また、前記課題を解決した本発明の第２は、収納状態の電気掃除機を積載した状態で、前記電気掃除機の集塵室に連通する集塵開口を設置面に近接して有することを特徴とする電気掃除機の収納装置である。
【発明の効果】
【００１０】
本発明によれば、電気掃除機を廊下や居室内に電気掃除機をコンパクトな形態で配置することができ、廊下や居室に配置した状態でゴミ取り器として使い勝手よく機能する収納装置付き電気掃除機及び電気掃除機の収納装置を提供することができる。
【図面の簡単な説明】
【００１１】
【図１】本発明の第１実施形態に係る収納装置付き電気掃除機の外観斜視図である。
【図２】図１の収納装置付き電気掃除機を構成する電気掃除機の部分拡大斜視図である。
【図３】図１の収納装置付き電気掃除機を構成する収納装置を示す図であり、（ａ）は平面図であり、（ｂ）は（ａ）のIII（ｂ）−III（ｂ）線断面を示す断面図であり、（ｃ）は正面図である。
【図４】本発明の第２実施形態に係る収納装置付き電気掃除機の外観斜視図である。
【図５】図４の収納装置付き電気掃除機を構成する収納装置を示す図であり、（ａ）は平面図であり、（ｂ）は（ａ）のＶ（ｂ）−Ｖ（ｂ）線断面を示す断面図であり、（ｃ）は下面図である。
【図６】図４の収納装置付き電気掃除機を構成する収納装置の変形例を示す図であり、図５（ｂ）に対応する断面図である。
【図７】本発明の第３実施形態に係る収納装置付き電気掃除機の外観斜視図であり、その前側から見た図である。
【図８】本発明の第３実施形態に係る収納装置付き電気掃除機の外観斜視図であり、その後側から見た図である。
【図９】図７の収納装置付き電気掃除機を構成する収納装置を示す図であり、（ａ）は平面図であり、（ｂ）は（ａ）のIX（ｂ）−IX（ｂ）線断面を示す断面図である。
【図１０】本発明の第４実施形態に係る収納装置付き電気掃除機の分解斜視図である。
【発明を実施するための形態】
【００１２】
（第１実施形態）
次に、本発明の収納装置付き電気掃除機の第１実施形態について適宜図面を参照しながら詳細に説明する。参照する図１は、第１実施形態に係る収納装置付き電気掃除機の外観斜視図である。
【００１３】
図１に示すように、本実施形態に係る収納装置付き電気掃除機１Ａは、電気掃除機１０と、この電気掃除機１０を収納状態で積載する収納装置２０とを備えている。以下の説明においては、電気掃除機１０自体を意味するときには、収納装置付き電気掃除機１Ａと区別するために、単に「電気掃除機１０」と記す。
【００１４】
また、以下の説明においては、収納装置付き電気掃除機１Ａの上下の方向は、この収納装置付き電気掃除機１Ａを略水平の床等に配置した際の鉛直方向上下の方向に一致させた図１に示す上下の方向を基準とする。
なお、図１において記す上下の方向は、「使用状態」の電気掃除機１０の上下方向とは一致していない。ここで電気掃除機１０の「使用状態」とは、操作者が収納装置２０から取り外した電気掃除機１０をこの収納装置２０とは分離独立して使用し、床等を掃除する際の電気掃除機１０自体の状態をいい、この状態の電気掃除機１０の掃除機本体１１は、床等の上で後記する「横置き状態」となる。
【００１５】
そして、「収納状態」の電気掃除機１０とは、前記した「使用状態」の電気掃除機１０における掃除機本体１１が「横置き状態」であるのに対して、その掃除機本体１１が「縦置き状態」となっていることをいう。この掃除機本体１１の「縦置き状態」及び電気掃除機１０の「収納状態」については後に更に詳しく説明する。
【００１６】
また、収納装置付き電気掃除機１Ａの前後の方向は、この収納装置付き電気掃除機１Ａを略水平の床等に配置した際に、後記する集塵開口２１が形成される側を前方向に規定した図１に示す前後の方向を基準とする。そして、収納装置付き電気掃除機１Ａの左右の方向は、前記した前後の方向に対して規定した図１に示す左右の方向を基準とする。
以下に、電気掃除機１０の全体構成について説明した後に、収納装置２０について説明する。
【００１７】
＜電気掃除機１０＞
電気掃除機１０は、図１に示すように、掃除機本体１１と、この掃除機本体１１に形成される接続口１１ａに本体継手１２を介して接続されるホース１３と、ホース１３の先端にホース継手１４（手元操作部ともいう）を介して接続される延長管１５と、延長管１５の先端に接続される吸口体１６とを備えている。なお、掃除機本体１１に形成される接続口１１ａは、特許請求の範囲にいう「掃除機本体の吸込口」に相当し、吸口体１６は、特許請求の範囲にいう「床用吸口体」に相当する。
【００１８】
図１中、符号１１ｂは、掃除機本体１１の左右の両側部にそれぞれ設けられる走行車輪（右側のみ記載）であり、符号１１ｃは、掃除機本体１１の前側（後記する「使用状態」の電気掃除機１０では床に面する掃除機本体１１の腹側）に設けられる案内車輪である。また、図１中、符号１４ａは、ホース継手１４に設けられ、掃除機本体１１に内蔵される電動送風機（図示省略）をオンオフするスイッチ操作部である。また、符号１４ｂは、操作者がホース継手１４を把持するためのハンドルである。なお、本実施形態での電動送風機は、商用交流電源で駆動するものを想定しており、図１中、符号１７ａは、電気掃除機１０を収納装置２０とは分離独立して使用する際に、商用交流電源のコンセントに接続するためのプラグであり、符号１７ｂは、プラグ１７ａを介して電動送風機に電力を供給するためのコードである。ちなみに、本発明は、このような交流電源用の電気掃除機１０を備えるものに限定されることはなく、後に説明するように、直流電源で駆動するいわゆる充電式電気掃除機を備える構成とすることができる。
【００１９】
また、図示は省略するが、掃除機本体１１内には、接続口１１ａ側に集塵室が区画されると共に、この集塵室の下側（後記する「使用状態」の電気掃除機１０では後側）に隣接して前記した電動送風機が配置される電動送風機室が区画されている。この集塵室と電動送風機室とは、フィルタ部を介して連通している。そして、掃除機本体１１の下側には、電動送風機で掃除機本体１１内に吸引した空気を掃除機本体１１外に排出するための排気口１１ｄ（図３（ｂ）参照）が形成されている。つまり、この排気口１１ｄは、後記する収納装置２０の底板２５ａ（図３（ｂ）参照）に対向している。
【００２０】
ちなみに、前記した「使用状態」の電気掃除機１０にあっては、収納装置２０から取り外されると共に、走行車輪１１ｂ及び案内車輪１１ｃが床等に接地することで掃除機本体１１の腹側が床等と対向して掃除機本体１１が「横置き状態」となる。この「横置き状態」とは、掃除機本体１１の接続口１１ａを前方に向け、掃除機本体１１の排気口１１ｄ（図３（ｂ）参照）を後方に向けると、掃除機本体１１の前後方向の長さが掃除機本体１１の高さよりも長くなって、横長になって置かれていることを意味している。
そして、このように掃除機本体１１が「横置き状態」となっている「使用状態」の電気掃除機１０においては、掃除機本体１１の前側からホース１３が延出することとなる。
【００２１】
これに対して、「収納状態」の電気掃除機１０にあっては、図１に示すように、掃除機本体１１の接続口１１ａが上方を向くように掃除機本体１１が「縦置き状態」となっている。したがって、この「縦置き状態」の掃除機本体１１は、縦長になって置かれている。そして、本実施形態での掃除機本体１１は、その腹側が前方を向くように配置されている。なお、ホース１３は、掃除機本体１１の上方に位置することとなる接続口１１ａから更に上方に向けて延出することとなる。
【００２２】
そして、このホース１３の先端で略一方向に並ぶように相互に接続されるホース継手１４、延長管１５及び吸口体１６は、本実施形態においては、掃除機本体１１の前方で上下方向に延在するように配置されている。また、本実施形態では、延長管１５が後記する係止機構１８（図２参照）によって、掃除機本体１１寄りに近接して配置される構成となっている。
【００２３】
次に参照する図２は、係止機構１８の説明図であって、電気掃除機１０の部分拡大斜視図である。図２中、符号１１は掃除機本体であり、符号１１ａは接続口であり、符号１２は本体継手であり、符号１５は延長管であり、符号１６は吸口体である。なお、図２に示す前後左右上下の方向は、図１の各方向と一致している。
【００２４】
図２に示すように、前記係止機構１８は、延長管１５の後側に設けられた被係止部１８ａと、本体継手１２の前側に設けられた係止部１８ｂとで構成されている。なお、係止部１８ｂを設ける箇所（部材）は、本実施形態での本体継手１２に限定されずに、掃除機本体１１及び本体継手１２、並びに本体継手１２寄りのホース１３の少なくともいずれかとすることができる。
【００２５】
被係止部１８ａ及び係止部１８ｂの構成は、延長管１５を掃除機本体１１寄りに係脱自在に支持することができる構成であれば特に制限はない。本実施形態での被係止部１８ａは、延長管１５の外壁面から延出した途中で下方に屈曲する鉤状部材で構成されている。そして、本実施形態での係止部１８ｂは、鉤状部材からなる被係止部１８ａを受け入れてこれを引っ掛けて支持する溝部で構成されている。
なお、このような係止機構１８で係止された延長管１５にホース継手１４（図１参照）が接続されることによって、ホース継手１４に設けられたスイッチ操作部１４ａ（図１参照）は、前方を向くように配置されることとなる。
ちなみに、図２中、符号１８ｃで示される副係止部は、係止部１８ｂの位置から下方へ距離Ｈ１で離れた位置で、被係止部１８ａを係止する構成となっている。この距離Ｈ１は、後記するように、収納装置２０に積載された吸口体１６（図３（ｃ））の床面からの距離Ｈ２に応じて設定している。この距離Ｈ１，Ｈ２については、後に詳しく説明する。
【００２６】
次に、「使用状態」の電気掃除機１０の動作について主に図１を参照しながら説明する。
「使用状態」の電気掃除機１０で床等を掃除する際には、まず、収納装置２０から電気掃除機１０を取り外して掃除機本体１１を「横置き状態」とし、プラグ１７ａを所定のコンセント（商業用交流電源）に接続する。そして、ホース継手１４に設けられたスイッチ操作部１４ａをオンにして電動送風機を駆動させると、接続口１１ａ側から掃除機本体１１内に向かって吸込気流が発生する。このことによりゴミ（塵埃）を同伴する空気が吸口体１６から吸い込まれ、この空気は、延長管１５、ホース継手１４、ホース１３、及び本体継手１２を介して、図示しない前記集塵室内に配置された図示しない紙パック内に導入される。そして、紙パックでろ過された空気は、前記フィルタ部及び電動送風機室を経由して排気口１１ｄ（図３（ｂ）参照）から掃除機本体１１の後方に向かって排出される。
【００２７】
ちなみに、本実施形態では、紙パック方式の電気掃除機１０を想定しているが、本発明はサイクロン方式の電気掃除機１０にも適用することができ、サイクロン方式の電気掃除機１０においては、この集塵室に対応する部分にサイクロン室が形成されることとなる。
以上のような電気掃除機１０が「収納状態」で収納装置２０に積載された収納装置付き電気掃除機１Ａの動作については、後に詳しく説明する。
【００２８】
＜収納装置２０＞
図１に示すように、収納装置２０は、その前側に集塵開口２１を備えると共に、更に、電気掃除機１０の吸口体１６を積載する吸口体積載部２２と、電気掃除機１０の掃除機本体１１を積載する本体積載部２３とを備えている。なお、吸口体積載部２２は、特許請求の範囲にいう「電気掃除機の床用吸口体の吸込口を覆って連通する接続部」に相当する。
また、収納装置２０は、電気掃除機１０のプラグ１７ａを差し込むコンセント２４ａと、商業用交流電源と接続するためのプラグ２４ｃと、このプラグ２４ｃとコンセント２４ａとを電気的に接続するためのコード２４ｂと、このコード２４ｂを介しての商業用交流電源とコンセント２４ａとの電気的な接続をオンオフするスイッチ２４ｄとを更に備えている。
【００２９】
集塵開口２１は、収納装置２０の前端の下部に形成されている。この集塵開口２１は、この収納装置付き電気掃除機１Ａが配置される、例えば床面に沿って延びるスリット状に形成されると共に、床面に対して近接するように形成されている。更に具体的に説明すると、本実施形態でのスリット状の集塵開口２１は、吸口体積載部２２に積載される略Ｔ字状の吸口体１６の横幅（左右幅）と略同じ長さで形成されている。
なお、集塵開口２１の開口面積は、掃除機本体１１の接続口１１ａの開口面積（Ｓ）に対して±２０％の範囲（Ｓ±２０％）内となるように設定することが望ましい。このような範囲内に集塵開口２１の開口面積を設定することで、ゴミを同伴する空気を、より効率よく集塵開口２１から掃除機本体１１内に吸い込ませることができる。
【００３０】
次に参照する図３（ａ）は、収納装置２０の平面図であり、図３（ｂ）は、図３（ａ）のIII（ｂ）−III（ｂ）線断面を示す断面図であり、図３（ｃ）は、収納装置２０の正面図である。なお、図３（ａ）ないし（ｃ）中、収納装置２０に積載される電気掃除機１０の概略を仮想線（二点鎖線）で表している。但し、図３（ｂ）中、掃除機本体１１に形成される排気口１１ｄ、及び吸口体１６に形成される吸引口１６ａは、作図の便宜上、破線で示している。
なお、図３（ａ）ないし（ｃ）においては、コンセント２４ａ、コード２４ｂ、プラグ２４ｃ、及びスイッチ２４ｄの記載を省略している。
【００３１】
本実施形態での収納装置２０は、図３（ａ）に示すように、平面視で略矩形を呈しており、吸口体積載部２２をその前部に備えると共に、本体積載部２３をその後部に備えている。
【００３２】
収納装置２０は、その平面形状と略同じ形状の底板２５ａと、この底板２５ａの外周縁に沿って立設される周壁２５ｂと、この周壁２５ｂの内側で底板２５ａ上に形成される凹部２５ｄと、この凹部２５ｄを前後方向に仕切る仕切り壁２５ｃとを備えている。そして、この仕切り壁２５ｃを境に、その前方に吸口体積載部２２が形成され、その後方に本体積載部２３が形成されている。
【００３３】
図３（ｂ）に示すように、仕切り壁２５ｃは、断面視で略逆Ｖ字状の形状を有しており、吸口体積載部２２側のその壁面は、前方に所定の角度の下り勾配で傾斜する傾斜面２２ａとなっている。この傾斜面２２ａには、吸口体積載部２２に積載された吸口体１６の底部が当接するようになっている。そして、この傾斜面２２ａ上で前記した所定の角度で傾斜するように配置された吸口体１６の前端部は、収納装置２０の前側の周壁２５ｂに当接するようになっている。ちなみに、本実施形態での前側の周壁２５ｂは、吸口体１６の前端部と密着するように、その壁面が吸口体１６の前端部の外形状に倣うように形成されている。
【００３４】
また、傾斜面２２ａの前側寄りには、吸口体１６の吸引口１６ａに臨むように接続開口２２ｂが形成されている。そして、この接続開口２２ｂと集塵開口２１とは、吸口体積載部２２の底部（電気掃除機１０が積載される底部）に形成された流路２６で連通している。
つまり、この吸口体積載部２２（接続部）は、吸口体１６の吸引口１６ａを覆って当該吸引口１６ａに連通すると共に、流路２６を介して集塵開口２１と連通している。
なお、集塵開口２１の下側リップを形成する底板２５ａの前端は、前方に向かって下り勾配となるようにテーパが形成されており、ゴミを同伴する空気を集塵開口２１から吸口体積載部２２（接続部）へと流入し易くなるように構成されている。
【００３５】
そして、図３（ａ）に示すように、接続開口２２ｂを取り囲む傾斜面２２ａ部分には、吸口体１６の吸引口１６ａ（図３（ｂ）参照）の周囲との気密性を高めるためのシール材２２ｃが配置されている。このシール材２２ｃとしては、例えば、独立気泡を有する発泡性樹脂や合成ゴム等の弾性材料を使用することができる。
なお、本実施形態での吸口体積載部２２は、図３（ｂ）に示すように、吸口体１６の前側の一部を凹部２５ｄ内に収納するようになっているが、吸口体１６のＴ字の横長部分の略全体を凹部２５ｄ内に収納する構成とすることもできる。この場合、前記したシール材２２ｃは、周壁２５ｂと吸口体１６との間の隙間を埋めるように配置することができる。
【００３６】
本体積載部２３は、図３（ａ）及び（ｂ）に示すように、後側の周壁２５ｂ、左側及び右側の周壁２５ｂ並びに仕切り壁２５ｃで囲まれて底板２５ａ上に形成される凹部２５ｄ内に、「縦置き状態」の掃除機本体１１の下側の一部分を収納するようになっている。そして、底板２５ａの左側及び右側の周壁２５ｂ寄りには、それぞれ車輪止め２３ａ，２３ａが設けられている。この車輪止め２３ａ，２３ａによって、走行車輪１１ｂ，１１ｂが支持された掃除機本体１１は、前記した排気口１１ｄが形成されているその下部が、底板２５ａから離間している。また、この凹部２５ｄ内に配置された掃除機本体１１の周囲には、後側の周壁２５ｂ、左側及び右側の周壁２５ｂ並びに仕切り壁２５ｃと掃除機本体１１との間に隙間２３ｂを有している。
【００３７】
一方、図１に示す「縦置き状態」の掃除機本体１１の上部から延出するホース１３に、ホース継手１４を介して接続された延長管１５は、その被係止部１８ａ（図２参照）が本体継手１２の係止部１８ｂ（図２参照）に係止されている。
したがって、掃除機本体１１に対して相対的に位置決めされた延長管１５によって、図３（ｂ）に示すように、吸口体積載部２２（接続部）に積載された吸口体１６は、この吸口体積載部２２（接続部）と位置ズレを起すことなく、吸口体１６の吸口体積載部２２に対する良好な気密性が維持される。
【００３８】
なお、図２に示すように、係止部１８ｂの位置から下方へ距離Ｈ１で離れた位置に設けられた副係止部１８ｃに、延長管１５の被係止部１８ａが係止されると、この延長管１５の先端に接続された吸口体１６は、本実施形態に係る収納装置付き電気掃除機１Ａが配置される床面等に接触する高さとなるようになっている。つまり、収納装置２０から取り外した電気掃除機１０に、床面上で「収納状態」の姿勢を取らせるときに、吸口体１６は、床面に安定して接地することとなる。
これに対して、係止部１８ｂに被係止部１８ａが係止されると、図３（ｃ）に示すように、吸口体１６は、吸口体積載部２２（接続部）に積載された状態となって、床面等からＨ２の距離で離れることとなる。つまり、係止部１８ｂと副係止部１８ｃとの距離Ｈ１は、Ｈ２と略等しくなるように設定されることが望ましい。
図３（ｃ）中、符号２２は収納装置２０の吸口体積載部であり、符号２５ｂは前側の周壁であり、符号２１は集塵開口であり、符号２５ｃは仕切り壁であり、符号１６は吸口体である。
【００３９】
以上のような本実施形態での収納装置２０は、吸口体積載部２２及び本体積載部２３が相互に一体成形された樹脂で構成されているものを想定しているが、その形成材料としては、樹脂に限定されるものではなく、所定の剛性と加工性を有している金属等の他の形成材料をも好適に使用することができる。また、別体としての吸口体積載部２２及び本体積載部２３を相互に接合して一体とした構成とすることもできる。
【００４０】
次に、電気掃除機１０が「収納状態」で収納装置２０に積載された収納装置付き電気掃除機１Ａの動作について説明する。
図１に示す収納装置付き電気掃除機１Ａは、日常的に掃除が行われる廊下や居室の床面上に好ましく配置される。そして、収納装置付き電気掃除機１Ａは、これが配置される廊下や居室に設けられた商業用交流電源（例えば、屋内コンセント、延長コード付きタップ等）にプラグ２４ｃが接続されると共に、電気掃除機１０のプラグ１７ａがコンセント２４ａに差し込まれることとなる。この際、電気掃除機１０のプラグ１７ａは、直接、商業用交流電源に接続される構成とすることもできる。
ちなみに、商業用交流電源にプラグ２４ｃが接続されると共に、電気掃除機１０のプラグ１７ａがコンセント２４ａに差し込まれた状態では、収納装置２０のスイッチ２４ｄをオフにしておくことが望ましい。このようにスイッチ２４ｄをオフにすることで、電気掃除機１０の待機電力の消費を抑えることができる。
【００４１】
このような収納装置付き電気掃除機１Ａにおいて、電気掃除機１０を収納装置２０とは分離独立して使用する場合の動作については既に説明した。
一方、例えば、モップ、箒等の掃除具を使用することで、廊下や居室の掃除を、より簡単に済ませたい場合等においては、その掃除具によって、収納装置付き電気掃除機１Ａの集塵開口２１の近傍に、廊下や居室のゴミが掃き集められる。
【００４２】
そして、操作者が、収納装置２０のスイッチ２４ｄをオンにすると共に、ホース継手１４のスイッチ操作部１４ａをオンにすることで電気掃除機１０を駆動すると、吸口体１６の吸引口１６ａ（図３（ｂ）参照）に吸込気流が発生する。このような吸込気流が発生すると、吸口体積載部２２（接続部）は、吸引口１６ａを覆って当該吸引口１６ａに連通すると共に、集塵開口２１は、吸口体積載部２２（接続部）に連通するので、集塵開口２１に吸込気流が発生する。
したがって、この収納装置付き電気掃除機１Ａは、掃き集められたゴミを集塵開口２１を介して掃除機本体１１内に配置された紙パック（図示省略）内に集める。そして、紙パックでろ過された空気は、排気口１１ｄ（図３（ｂ）参照）から掃除機本体１１の下方に向かって排出される。この際、排気口１１ｄから排出された空気は、前記した「使用状態」では、後方に向かって排気されるところ、この「収納状態」では、収納装置２０の底板２５ａ（図３（ｂ）参照）に衝突した後に、この底板２５ａ並びにこの底板２５ａに立設された周壁２５ｂ及び仕切り壁２５ｃの壁面に沿うように案内される。つまり、排出された空気は、周壁２５ｂの壁面に沿って上方に向かって流れていく。
【００４３】
次に、本実施形態に係る収納装置付き電気掃除機１Ａの奏する効果について説明する。
従来のゴミ取り器（例えば、特許文献１ないし３参照）においては、ゴミの収集時には押入れや納戸等の物置に収納されている電気掃除機１０を取り出して、そのゴミ取り器に接続してゴミを収集する。そして、ゴミの収集後には、その電気掃除機１０をゴミ取り器から取り外して物置に収納するという煩雑な手間が必要になる。これに対して、本実施形態に係る収納装置付き電気掃除機１Ａによれば、電気掃除機１０が「収納状態」で、収納装置２０にコンパクトに纏められて積載され、ゴミの収集場所となる居室等の床面上に予め配置されることとなるので、ゴミの収集時及びゴミの収集後に、電気掃除機１０の出し入れの必要がない。つまり、煩雑な手間を省略することができる。
【００４４】
また、従来のゴミ取り器では、電気掃除機１０のホース１３の先端に取り付けて使用されるので、床面上でのゴミ取り器の安定性（据わり）が不十分になるところ、本実施形態に係る収納装置付き電気掃除機１Ａによれば、集塵開口２１を有する収納装置２０に電気掃除機１０が積載される構成となっているので、ゴミ取り器として機能する収納装置２０の床面上での安定性（据わり）が良好となる。
【００４５】
また、収納装置付き電気掃除機１Ａによれば、収納装置２０の下部に集塵開口２１が設けられているので、この集塵開口２１の近傍に掃き集められたゴミを、この集塵開口２１を介して効率よく吸い込むことができる。
【００４６】
また、収納装置付き電気掃除機１Ａにおいては、電気掃除機１０の吸口体１６の吸引口１６ａは、吸口体積載部２２（接続部）の接続開口２２ｂと連通しており、吸口体１６が床面から直接、ゴミを吸い込まない。そのため、この収納装置付き電気掃除機１Ａによれば、吸口体１６のブラシ等にゴミが付着するのを防止することができる。よって、吸口体１６のゴミを除去するメンテナンス頻度を低くすることができ、ゴミ取り器として使用する際の使い勝手がよい。
【００４７】
また、収納装置付き電気掃除機１Ａによれば、接続開口２２ｂを取り囲む傾斜面２２ａ部分に、吸口体１６の吸引口１６ａの周囲との気密性を高めるためのシール材２２ｃが配置されているので、集塵開口２１の近傍に掃き集められたゴミを、この集塵開口２１から流路２６及び接続開口２２ｂを介して電気掃除機１０内の紙パック（図示省略）内に効率よく吸い込むことができる。
【００４８】
また、従来のゴミ取り器（例えば、特許文献１ないし３参照）においては、前記したように、電気掃除機１０をゴミ取り器に接続して使用する。この際、電気掃除機１０は、掃除機本体１１が「横置き状態」の「使用状態」となっているので、掃除機本体１１の排気口１１ｄは、その後方に排気する。その結果、排気口１１ｄからの排気によって、モップ、箒等で掃き集めたゴミを散乱する恐れがある。これに対して、本実施形態に係る収納装置付き電気掃除機１Ａによれば、排気口１１ｄからの排気を上方に向けて流すので、掃き集めたゴミを散乱する恐れが極めて少ない。
【００４９】
また、収納装置付き電気掃除機１Ａによれば、「収納状態」の電気掃除機１０を収納装置２０に積載する構成となっているので、「使用状態」の電気掃除機１０が接続されて使用される従来のゴミ取り器（例えば、特許文献１ないし３参照）と比較して、床面上に投影される電気掃除機１０の占有面積を小さくすることができ、そのコンパクト化を達成することができる。
【００５０】
また、収納装置付き電気掃除機１Ａによれば、集塵開口２１と吸口体積載部２２（接続部）とを連通する流路２６は、収納装置２０のうち電気掃除機１０の吸口体１６が積載される底部に形成されるので、収納装置２０の側面に流路２６を形成するものと比較して、前後方向及び／又は左右方向（横方向）の寸法を低減することでそのコンパクト化を達成することができる。
【００５１】
また、収納装置付き電気掃除機１Ａによれば、ホース継手１４、延長管１５及び吸口体１６は、掃除機本体１１の前方で上下方向に延在するように配置されると共に、延長管１５が係止機構１８によって、掃除機本体１１寄りに近接して配置される構成となっているので、前後方向の長さが短縮されて、より一層コンパクト化を達成することができる。
【００５２】
また、この収納装置付き電気掃除機１Ａによれば、吸口体１６は、吸口体積載部２２の傾斜面２２ａに、その底部が当接するように積載されるので、吸口体１６を掃除機本体１１寄りに、一段と近接させることができ、より一層コンパクト化を達成することができる。
【００５３】
また、操作者が掃除機本体１１の前方に、ホース継手１４、延長管１５及び吸口体１６を配置する際には、ホース継手１４のハンドル１４ｂを把持し、或いは延長管１５を把持して、吸口体１６を傾斜面２２ａに積載する。この際、吸口体１６の底部は、傾斜面２２ａと同様に、前方に下り勾配となるように傾斜することになる。したがって、収納装置付き電気掃除機１Ａによれば、操作者は吸口体１６を吸口体積載部２２に積載し易くなる。
【００５４】
また、吸口体１６が傾斜面２２ａ上に積載されると、この吸口体１６の上方に延長管１５を介して接続されるホース継手１４のスイッチ操作部１４ａは、前側を向くように配置されることとなる。したがって、収納装置付き電気掃除機１Ａによれば、操作者は、このスイッチ操作部１４ａのオンオフの操作を行い易くなる。
【００５５】
（第２実施形態）
次に、本発明の収納装置付き電気掃除機の第２実施形態について適宜図面を参照しながら詳細に説明する。参照する図４は、本発明の第２実施形態に係る収納装置付き電気掃除機の外観斜視図である。図５は、図４の収納装置付き電気掃除機を構成する収納装置を示す図であり、（ａ）は平面図であり、（ｂ）は（ａ）のＶ（ｂ）−Ｖ（ｂ）線断面を示す断面図であり、（ｃ）は下面図である。なお、本実施形態に係る収納装置付き電気掃除機を構成する電気掃除機１０自体は、第１実施形態での電気掃除機１０（図１参照）と同様に構成されているので、その詳細な説明は省略する。また、図４においては、図１の延長管１５及び吸口体１６及びプラグ１７ａの記載は省略し、図５（ａ）ないし（ｃ）においては、図３（ａ）ないし（ｃ）の電気掃除機１０の記載、及びコンセント２４ａ、コード２４ｂ、プラグ２４ｃ、及びスイッチ２４ｄの記載は省略している。また、本実施形態に係る収納装置付き電気掃除機１Ｂの前後上下の方向は、図４に示す前後上下の方向を基準とし、その収納装置２０の前後左右上下の方向は、図５（ａ）から（ｃ）に示す前後左右上下の方向を基準とする。そして、前記第１実施形態と同様の構成要素については同じ符号を付してその詳細な説明を省略する。
【００５６】
図４に示すように、本実施形態に係る収納装置付き電気掃除機１Ｂの収納装置２０は、その前側に集塵開口２１を備えると共に、収納装置２０の前部に本体積載部２３が形成され、収納装置２０の後部に吸口体積載部２２が形成されている。なお、第１実施形態では、吸口体積載部２２が特許請求の範囲にいう「接続部」を構成していたが、本実施形態での吸口体積載部２２は「接続部」を構成せず、後記する管状接続部２７が特許請求の範囲にいう「掃除機本体の吸込口又は電気掃除機の掃除機本体の吸込口に連通するホース継手若しくはこのホース継手に連通する延長管に接続可能な接続部」に相当する。
本体積載部２３には、「縦置き状態」の掃除機本体１１が、その背側（前記した腹側の反対側）が前方を向くよう配置されている。
この際、走行車輪１１ｂは、第１実施形態での走行車輪１１ｂ（図３（ｂ）参照）と同様に、図５（ａ）に示す車輪止め２３ａによって支持されている。
その結果、図示しないが、図３（ｂ）に示す第１実施形態と同様に、掃除機本体１１の下部が底板２５ａから離間すると共に、図４に示すように、本体積載部２３に配置された掃除機本体１１の周囲には、周壁２５ｂ及び仕切り壁２５ｃと掃除機本体１１との間に隙間２３ｂが形成されている。
【００５７】
そして、図４に示すように、「縦置き状態」の掃除機本体１１の上方から延出するホース１３の先端に接続されたホース継手１４は、管状接続部２７に着脱自在に接続されている。
なお、図４中、符号１２は本体継手であり、符号１７ａは電気掃除機１０のプラグであり、符号１７ｂは電気掃除機１０のコードであり、符号２４ａは収納装置２０のコンセントであり、符号２４ｂは収納装置２０のコードであり、符号２４ｃは収納装置２０のプラグであり、符号２４ｄは収納装置２０のスイッチである。
【００５８】
管状接続部２７は、図５（ａ）に示すように、仕切り壁２５ｃの右寄りで、図４に示すように、この仕切り壁２５ｃから上方に延在する管状部材で構成されている。
この管状接続部２７の上端は、延長管１５（図１参照）のホース継手１４と接続される側と同じ構造を有している。つまり、ホース継手１４と内側に収まってこのホース継手１４と嵌合する外径を有すると共に、ホース継手１４側に設けられた図示しない係止部（鉤）によって係脱自在に係止される被係止（凹部）を、ホース継手１４との嵌合周面に有している。
【００５９】
また、管状接続部２７は、図５（ａ）に示すように、仕切り壁２５ｃの位置で上下方向に沿って底板２５ａまで延びると共に、その下端は、図５（ｂ）に示すように、本体積載部２３の底板２５ａに形成される流路２６に接続されている。つまり、この流路２６は、図５（ｂ）に示すように、本体積載部２３の底部（電気掃除機１０（図４参照）が積載される底部）に形成されている。
【００６０】
この流路２６は、図５（ａ）及び（ｂ）に示すように、管状接続部２７から集塵開口２１まで延びるように、底板２５ａを部分的に上方に向かって膨らませることで形成されている。ちなみに、本実施形態での流路２６の形状は、図５（ａ）に示すように、平面視で、管状接続部２７の下端を頂点とし、スリット状に形成される集塵開口２１の左右幅の長さを底辺とする略三角形を呈している。なお、この流路２６は、図５（ｂ）に示すように、底板２５ａを膨らませた部分で形成される天井部の高さを、管状接続部２７の下端側から集塵開口２１側に向かって徐々に低くすることで、スリット状に形成される集塵開口２１の開口面積を、前記した掃除機本体１１の接続口１１ａ（図４参照）の開口面積（Ｓ）に対して±２０％の範囲（Ｓ±２０％）内となるように設定している。
【００６１】
このような本実施形態での流路２６は、底板２５ａを上方に膨らませた部分で形成される天井部と、この収納装置２０を配置する床等の当該床面と挟まれる空間で形成されることとなる。つまり、この収納装置２０は、その下面図である図５（ｃ）に示すように、底板２５ａを膨らませた部分で形成される流路２６の天井部に対向する底部材を有しておらず、下面視によって天井部を形成する底板２５ａを視認することができる。
【００６２】
そして、図５（ｃ）に示すように、この流路２６を取り囲むように、つまり流路２６の平面形状を縁取る輪郭に対してその外側に沿うように、リボン状のシール材２６ｄが設けられている。このシール材２６ｄとしては、前記した吸口体積載部２２に設けたシール材２２ｃ（図３（ａ）参照）と同様の材質のものを使用することができる。なお、本実施形態では、図５（ｃ）に示すように、リボン状のシール材２６ｄで流路２６を囲むように設けられているが、流路２６以外の底板２５ａと床面との隙間を埋めるように、流路２６以外の底板２５ａを覆うように配置されるシート状のシール材２６ｄ（図示省略）を用いることもできる。
【００６３】
図５（ｂ）中、シール材２６ｄの記載は省略している。そして、図５（ｂ）中、符号２２は収納装置２０の吸口体積載部である。また、図５（ｃ）中、符号２２は収納装置２０の吸口体積載部であり、符号２３は収納装置２０の本体積載部である。
ちなみに、本実施形態での吸口体積載部２２には、第１実施形態での吸口体積載部２２と異なって、接続開口２２ｂ（図３（ｂ）参照）を有していない。また、仕切り壁２５ｃとの間で吸口体積載部２２の凹部２５ｄを形成する周壁２５ｂの下部には、第１実施形態と異なって、集塵開口２１（図３（ｂ）参照）を有していない。
【００６４】
以上のような本実施形態に係る収納装置付き電気掃除機１Ｂは、第１実施形態に係る収納装置付き電気掃除機１Ａと同様の効果を奏するほか、次のような効果を奏することができる。
本実施形態に係る収納装置付き電気掃除機１Ｂによれば、図４に示すように、ホース継手１４と管状接続部２７とを接続することで、集塵開口２１と電気掃除機１０とを連通させるので、延長管１５を有せず、よりコンパクト化を図ることができる。また、吸口体１６及び延長管１５を介さずに、ホース継手１４から吸引するので、吸引時における電気掃除機１０の吸口体１６及び延長管１５での圧損を低減することができる。
【００６５】
また、本実施形態に係る収納装置付き電気掃除機１Ｂによれば、ホース継手１４と管状接続部２７との接続は、第１実施形態における接続開口２２ｂと吸口体１６（図３（ｂ）参照）との接続と比較して、より気密化を図ることができる。
【００６６】
また、本実施形態に係る収納装置付き電気掃除機１Ｂによれば、意匠性に富む外観を有する掃除機本体１１の背面側が前側を向くので、収納装置付き電気掃除機１Ｂの全体としての外観の意匠性が向上する。
【００６７】
また、本実施形態に係る収納装置付き電気掃除機１Ｂによれば、流路２６を形成する底部材を有していないので、流路２６のクリーニング等のメンテナンスが容易となる。
【００６８】
次に参照する図６は、本実施形態の収納装置付き電気掃除機１Ｂを構成する収納装置２０の変形例を示す図である。
図５（ｂ）に示す収納装置２０は、その流路２６を構成する底部材を有していないが、図６に示すように、収納装置２０に形成される流路２６を下方から覆うように底部材２６ｂを配置することができる。
このような底部材２６ｂを有する収納装置２０は、流路２６の気密性を一段と向上させることができる。
なお、図６中、符号２７は、管状接続部であり、符号２５ａは底板であり、符号２１は集塵開口であり、符号２２は、吸口体積載部であり、符号２３は本体積載部である。
【００６９】
（第３実施形態）
次に、本発明の収納装置付き電気掃除機の第３実施形態について適宜図面を参照しながら詳細に説明する。参照する図７は、本発明の第３実施形態に係る収納装置付き電気掃除機の外観斜視図であり、その前側から見た図である。図８は、本発明の第３実施形態に係る収納装置付き電気掃除機の外観斜視図であり、その後側から見た図である。図９は、図７の収納装置付き電気掃除機を構成する収納装置を示す図であり、（ａ）は平面図であり、（ｂ）は（ａ）のIX（ｂ）−IX（ｂ）線断面を示す断面図である。なお、本実施形態に係る収納装置付き電気掃除機を構成する電気掃除機自体は、第１実施形態での電気掃除機１０（図１参照）と同様に構成されているので、その詳細な説明は省略する。また、図７及び図８においては、コンセント２４ａ、コード２４ｂ、プラグ２４ｃ、及びスイッチ２４ｄの記載は省略している。そして、図９においては、電気掃除機１０、コンセント２４ａ、コード２４ｂ、プラグ２４ｃ、及びスイッチ２４ｄの記載は省略している。また、本実施形態に係る収納装置付き電気掃除機の上下左右の方向は、図７及び図８に示す上下左右の方向を基準とし、その収納装置の前後左右上下の方向は、図９（ａ）及び（ｂ）に示す前後左右上下の方向を基準とする。そして、前記第１実施形態及び前記第２実施形態と同様の構成要素については同じ符号を付してその詳細な説明を省略する。
【００７０】
図７及び図８に示すように、第３実施形態に係る収納装置付き電気掃除機１Ｃは、その前側に集塵開口２１（図７参照）を備えると共に、収納装置２０の前部に本体積載部２３（図７参照）が形成され、収納装置２０の後部に吸口体積載部２２（図８参照）が形成されている。なお、本実施形態での吸口体積載部２２は、前記第１実施形態での吸口体積載部２２（図１参照）と同様に、特許請求の範囲にいう「接続部」を構成する。また、本実施形態での収納装置２０は、管状接続部２７（図８参照）を有しており、この管状接続部２７は、特許請求の範囲にいう「掃除機本体の吸込口又は電気掃除機の掃除機本体の吸込口に連通するホース継手若しくはこのホース継手に連通する延長管に接続可能な接続部」に相当する。つまり、この収納装置付き電気掃除機１Ｃは、第１の接続部である管状接続部２７と、第２の接続部である吸口体積載部２２との２つの接続部を有している。
【００７１】
本体積載部２３には、図７に示すように「縦置き状態」の掃除機本体１１が、その背側（前記した腹側の反対側）が前方（図７の紙面の手前）を向くよう配置されている。
この際、走行車輪１１ｂは、第１実施形態での走行車輪１１ｂ（図３（ｂ）参照）と同様に、図９（ａ）に示す車輪止め２３ａによって支持されている。
【００７２】
その結果、図示しないが、図３（ｂ）に示す第１実施形態と同様に、掃除機本体１１の下部が底板２５ａから離間すると共に、図７及び図８に示すように、本体積載部２３に配置された掃除機本体１１の周囲には、周壁２５ｂ（図７参照）及び仕切り壁２５ｃ（図８参照）と掃除機本体１１との間に隙間２３ｂが形成されている。
【００７３】
そして、図８に示すように、「縦置き状態」の掃除機本体１１の上方から延出するホース１３に接続されたホース継手１４は、管状接続部２７に着脱自在に接続されている。
【００７４】
管状接続部２７は、図８及び図９（ａ）に示すように、仕切り壁２５ｃの右寄りで、この仕切り壁２５ｃから上方に延在する管状部材で構成されている。
この管状接続部２７の上端は、第２実施形態での管状接続部２７（図４参照）と、前後方向が相互に対称となるように構成した以外は、第２実施形態での管状接続部２７と同様に構成されている。つまり、図４に示すように、第２実施形態でのホース継手１４に設けられたスイッチ操作部１４ａが後側を向いているのに対して、本実施形態では、図７に示すように、ホース継手１４に設けられたスイッチ操作部１４ａが前側（図７の紙面の手前）を向いている。
【００７５】
また、管状接続部２７は、図９（ａ）及び（ｂ）に示すように、第２実施形態での管状接続部２７（図５（ａ）参照）と同様に、仕切り壁２５ｃに沿って底板２５ａまで延びると共に、その下端は、本体積載部２３の底板２５ａに形成される流路２６に接続されている。つまり、管状接続部２７は、図９（ｂ）に示すように、本体積載部２３の底部（電気掃除機１０（図７参照）が積載される底部）に形成された流路２６で集塵開口２１と連通している。なお、第３実施形態での流路２６は、図９（ｂ）に示すように、第２実施形態での収納装置２０の変形例（図６参照）と同様に、流路２６を下方から塞ぐように配置される底部材２６ｂを有している。
図７中、符号１３はその一部を作図の便宜上、仮想線（二点鎖線）で示すホースであり、符号１２は本体継手である。図８中、符号１１ｃは案内車輪であり、符号１６ｂは、吸口体１６の延長管１５との接続口を封止するキャップシールであり、図８及び図９（ａ）中、符号２８は、ホース継手１４及び吸口体１６から取り外した延長管１５を支持させる延長管ホルダである。この延長管ホルダ２８は、仕切り壁２５ｃの左寄りで、この仕切り壁２５ｃから上方に延在する管状部材で構成されている。この延長管ホルダ２８は、延長管１５と外嵌又は内嵌可能な管状部材で形成することができる。なお、キャップシール１６ｂについては、後に説明する。
【００７６】
図９（ａ）及び（ｂ）に示すように、第２の接合部である吸口体積載部２２は、仕切り壁２５ｃを境にして本体積載部２３の反対側となる収納装置２０の後部に形成されている。
【００７７】
図９（ａ）に示すように、仕切り壁２５ｃは、第１実施形態の前記した仕切り壁２５ｃ（図３（ｂ）参照）と同様に、傾斜面２２ａを有している。但し、この傾斜面２２ａは、図９（ｂ）に示すように、後方に所定の角度の下り勾配で傾斜している。また、図示しないが、この傾斜面２２ａには第１実施形態の傾斜面２２ａ（図３（ｂ）参照）と同様に、吸口体積載部２２に積載された吸口体１６（図８参照）の底部が当接するようになっている。そして、この傾斜面２２ａ上で前記した所定の角度で傾斜するように配置された吸口体１６（図８参照）の後端部は、収納装置２０の後側（図８の紙面の手前）の周壁２５ｂに当接するようになっている。ちなみに、本実施形態での後側の周壁２５ｂは、吸口体１６の後端部と密着するように、その壁面が吸口体１６の後端部の外形状に倣うように形成されている。
【００７８】
また、傾斜面２２ａの後側寄りには、図８に示す吸口体１６の吸引口に臨むように接続開口２２ｂが形成されている。つまり、この吸口体積載部２２（接続部）は、吸口体１６の吸込口を覆って当該吸引口１６ａに連通すると共に、管状接続部２７の下方及び流路２６を介して集塵開口２１と連通している。
【００７９】
また、図９（ａ）に示すように、接続開口２２ｂを取り囲む傾斜面２２ａ部分には、第１実施形態での接続開口２２ｂ（図３（ａ）参照）と同様に、吸口体１６の吸込口の周囲との気密性を高めるためのシール材２２ｃが配置されている。
【００８０】
また、集塵開口２１の下側リップを形成する底板２５ａの前端は、第２実施形態と同様に、前方に向かって下り勾配となるようにテーパが形成されており、ゴミを同伴する空気を集塵開口２１から吸口体積載部２２（接続部）へと流入し易くなるように構成されている。
【００８１】
以上のような本実施形態に係る収納装置付き電気掃除機１Ｃは、第１実施形態に係る収納装置付き電気掃除機１Ａと同様に、吸口体積載部２２（第２の接続部）と接続される吸口体１６を介して集塵開口２１からゴミを吸い込むか、又は第２実施形態に係る収納装置付き電気掃除機１Ｂと同様に、管状接続部２７（第１の接続部）と接続されるホース継手１４を介して集塵開口２１からゴミを吸い込むかのいずれかである。したがって、図８に示すように、管状接続部２７（第１の接続部）と接続されるホース継手１４を介して集塵開口２１からゴミを吸い込む場合には、吸口体１６の延長管１５との接続口がキャップシール１６ｂで封止されている。そして、吸口体積載部２２（第２の接続部）と接続される吸口体１６を介して集塵開口２１からゴミを吸い込む場合には、図示しないが、管状接続部２７（第１の接続部）がキャップシール１６ｂで封止されることとなる。ちなみに、本発明においては、このキャップシール１６ｂに代えて、吸口体積載部２２（第２の接続部）を介してゴミを吸い込むか、又は管状接続部２７（第１の接続部）を介してゴミを吸い込むかのいずれかに吸い込み経路を限定するように、所定の経路に設けた弁体を使用する構成とすることもできる。
【００８２】
以上のような本実施形態に係る収納装置付き電気掃除機１Ｃは、第１実施形態に係る収納装置付き電気掃除機１Ａ及び第２実施形態に係る収納装置付き電気掃除機１Ｂと同様の効果を奏するほか、次のような効果を奏することができる。
【００８３】
本実施形態に係る収納装置付き電気掃除機１Ｃによれば、吸口体積載部２２（第２の接続部）を介してゴミを吸い込むか、又は管状接続部２７（第１の接続部）を介してゴミを吸い込むかのいずれかに吸い込み経路を選択することができ、使用態様の豊富化を図ることができる。
【００８４】
また、収納装置付き電気掃除機１Ｃによれば、延長管ホルダ２８に、ホース継手１４及び吸口体１６から取り外した延長管１５を支持することで、高さ方向の寸法が短縮するので、よりコンパクト化を達成することができる。なお、本実施形態に係る収納装置付き電気掃除機１Ｃにおいては、必ずしも延長管１５を延長管ホルダ２８に支持させる必要はなく、吸口体積載部２２に積載した吸口体１６に延長管１５を接続したままで、前記した本体継手１２に設けられた係止部１８ｂに、延長管１５に設けられた被係止部１８ａを係止させて、延長管１５を掃除機本体１１寄りで上下方向に延在するように配置する構成とすることもできる。
【００８５】
（第４実施形態）
次に、本発明の収納装置付き電気掃除機の第４実施形態について適宜図面を参照しながら詳細に説明する。参照する図１０は、本発明の第４実施形態に係る収納装置付き電気掃除機の分解斜視図である。
【００８６】
図１０に示すように、本実施形態に係る収納装置付き電気掃除機１Ｄは、電気掃除機１０が充電式であり、その図示しない電動送風機が直流電源（二次電池）で駆動するように構成されている。また、本実施形態での収納装置２０は、前記第１実施形態ないし第３実施形態での収納装置２０（図１、図４及び図７参照）と同様に、その前側に集塵開口２１を有している。また、収納装置２０の前部には、吸口体積載部２２が設けられ、この吸口体積載部２２には、集塵開口２１に連通すると共に、吸口体１６の図示しない吸引口と接続される接続開口２２ｂが形成されている。そして、収納装置２０の後部には、本体積載部２３が設けられている。
【００８７】
また、収納装置２０には、電気掃除機１０に搭載される直流電源（二次電池）と電気的に接続する端子２９，２９が設けられている。ちなみに、電気掃除機１０側にもこの端子２９，２９と電気的に接続可能な、図示しない端子が設けられている。
【００８８】
そして、この収納装置２０には、図示しないプラグ付きコードを介して商業用交流電源から交流の電力が供給されるが、交流・直流変換回路は、収納装置２０側に設けられていてもよいし、電気掃除機１０側に設けられていてもよい。
【００８９】
以上のような本実施形態に係る収納装置付き電気掃除機Ｄによれば、電気掃除機１０の掃除機本体１１が「収納状態」で本体積載部２３に積載され、吸口体１６が吸口体積載部２２に積載されることで、収納装置２０を介して電気掃除機１０に充電が行われる。また、この収納装置２０に積載された電気掃除機１０は、充電中又は充電完了後のいずれにおいても、そのスイッチ操作部１４ａをオンにすることで、電気掃除機１０の電動送風機（図示省略）を駆動することができる。一方、吸口体１６の図示しない吸引口は、前記したように、接続開口２２ｂを介して集塵開口２１と連通しているので、前記したように電動送風機を駆動することで、収納装置２０の集塵開口２１に吸込気流を発生させることができる。
つまり、この収納装置付き電気掃除機１Ｄによれば、電気掃除機１０の充電中、又は充電完了後に関わらずに、ゴミ取り器として機能させることができる。
【００９０】
以上、本発明の第１実施形態ないし第４実施形態について説明したが、本発明はこれらの実施形態に限定されず、種々の他の形態で実施することができる。
前記実施形態では、吸口体１６を、接続開口２２ｂを有する吸口体積載部２２（接続部）と接続させることで集塵開口２１からゴミを吸い込む構成（第１実施形態及び第３実施形態）、又はホース継手１４を管状接続部２７と接続させることで集塵開口２１からゴミを吸い込む構成（第２実施形態及び第３実施形態）について説明したが、本発明はこれに限定されずに、掃除機本体１１の接続口１１ａ（吸込口）が、吸口体積載部２２（接続部）、管状接続部２７等で例示される「集塵開口２１と連通する接続部」に対して、直接的に、又は他の部材を介して間接的に接続される構成とすることができる。
また、掃除機本体１１に形成した接続口１１ａ（吸込口）以外の吸引口を新たに設けて、この吸引口と前記した「集塵開口２１と連通する接続部」と連通する構成であってもよい。つまり、本発明の収納装置２０は、掃除機本体１１の集塵室と集塵開口２１とを連通させるように所定の流路を形成すると共に、集塵開口２１に吸込気流を発生させる構成とすることができる。
【００９１】
また、前記実施形態では、集塵開口２１を収納装置２０の前側の下部にのみ設けているが、本発明は、収納装置２０の下部の全周に亘って、連続した、又は断続的に並ぶ複数の集塵開口２１を設けることができる。
【００９２】
また、前記実施形態では、図３（ｂ）に示す排気口１１ｄからの排気を、底板２５ａから周壁２５ｂ及び仕切り壁２５ｃの壁面に沿わせて上方に向かって流すように構成しているが、本発明は、収納装置２０の構成部材の内部、例えば、底板２５ａ、周壁２５ｂ、仕切り板２５等の内部に排気の流路を形成すると共に、この流路から排気を上方に向かうよう排出可能な開口を形成する構成とすることもできる。
【００９３】
また、本発明の収納装置２０は、その内部に紫外線ランプ等のオゾン発生装置を配置することができる。このような収納装置２０及び収納装置付き電気掃除機１Ａないし１Ｄによれば、発生したオゾンにより、収納装置２０内や吸口体１６内、延長管１５内、ホース継手１４内、ホース１３内、掃除機本体１１内の脱臭・殺菌処理を行うことができる。
【００９４】
また、本発明の収納装置付き電気掃除機１Ａないし１Ｄは、操作者が適所に搬送可能な重量及び大きさとすることを想定しており、これらには、その搬送を、より容易に行うことができるように、収納装置２０の適所に車輪、取手等を備えた構成とすることができる。
【符号の説明】
【００９５】
１０    電気掃除機
１１    掃除機本体
１１ａ  接続口（吸込口）
１２    本体継手
１３    ホース
１４    ホース継手
１５    延長管
１６    吸口体（床用吸口体）
１６ａ  吸込口
１８    係止機構
２０    収納装置
２１    集塵開口
２２    吸口体積載部（接続部）
２２ａ  傾斜面
２２ｂ  接続開口
２３    本体積載部
２６    流路
２７    管状接続部
２８    延長管ホルダ
【図１】
2012152479.tif 000003
【図２】
2012152479.tif 000004
【図３】
2012152479.tif 000005
【図４】
2012152479.tif 000006
【図５】
2012152479.tif 000007
【図６】
2012152479.tif 000008
【図７】
2012152479.tif 000009
【図８】
2012152479.tif 000010
【図９】
2012152479.tif 000011
【図１０】
2012152479.tif 000012